(57)【要約】  容器装置は、開口端（１６）を含むネック部（１４）を有する特定容積の絞り出しボトルと、ボトル内に収容された薬剤とを備える。先端部（４０）は、圧搾可能なボトルの開口端の中に挿入可能であり、先端部開口部（５０）に向かって増大する径を有するノズル（４６）を含む内部傾斜ノズルを有する。キャップ（８０）が、先端部開口部（５０）を封止するために、ボトルのネック部に着脱可能に固定される。また、ショルダ部（５０）がネック部に隣接してボトル内に形成され、気泡を含まない薬剤がノズルに流れることを助長し、かつキャップの不正開封防止を支援するために、所定角度で傾斜するように配設される。
2008509852.tif 000002
【特許請求の範囲】
【請求項１】
開口端を含むネック部を有する特定容積の絞り出しボトルと、
ボトル内に収容された薬剤と、
開口端内に挿入可能で、内部傾斜ノズルを有する先端部であって、内部傾斜ノズルの径が先端部開口部に向かって増大する先端部と、
ボトルのネック部に着脱可能に固定される、先端部開口部を封止するためのキャップと、
ネック部に隣接してボトル内に形成されたショルダ部であって、気泡を含まない薬剤がノズルに流れることを助長し、かつキャップの不正開封防止を支援するために、ボトルの中心線に対して約４５°〜約５０°の間の角度で傾斜するように配設されたショルダ部とを備えたことを特徴とする容器装置。
【請求項２】
ボトルを絞り出すことにより、先端部開口部で形成される薬剤小滴の均一性およびサイズを制御するための、先端部開口部を包囲する所定の正面幅の先端部正面を有することを特徴とする請求項１に記載の容器装置。
【請求項３】
正面幅は、約０．０１５インチ〜約０．０６０インチであり、
特定容積は、約５ｍｌ〜１５ｍｌであることを特徴とする請求項２に記載の容器装置。
【請求項４】
小滴サイズは約１０μｌ〜約５０μｌであることを特徴とする請求項３に記載の容器装置。
【請求項５】
開口端を含むネック部を有する特定容積の絞り出しボトルと、
ボトル内に収容された薬剤と、
開口端内に挿入可能で、内部傾斜ノズルを有する先端部であって、内部傾斜ノズルの径が先端部開口部に向かって増大する先端部と、
ボトルのネック部に着脱可能に固定される、先端部開口部を封止するためのねじ山付きキャップとを備え、
先端部は、ボトルを絞り出すことにより、先端部開口部で形成される薬剤小滴の均一性およびサイズを制御するための、先端部開口部を包囲する所定の正面幅の先端部正面を有することを特徴とする容器装置。
【請求項６】
正面幅は、約０．０１５インチ〜約０．０６０インチであり、
特定容積は、約５ｍｌ〜１５ｍｌであることを特徴とする請求項５に記載の容器装置。
【請求項７】
小滴サイズは約１０μｌ〜約５０μｌであることを特徴とする請求項６に記載の容器装置。
【請求項８】
ネック部に隣接してボトル内に形成されたショルダ部であって、気泡を含まない薬剤がノズルに流れることを助長し、かつネック部に対するキャップの不正開封防止を支援するために、ボトルの中心線に対して約４５°〜約５０°の間の角度で傾斜するように配設されたショルダ部をさらに備えたことを特徴とする請求項５に記載の容器装置。
【発明の詳細な説明】
【技術分野】
【０００１】
本発明は、一般に、小滴形態で薬剤を供給するための点滴ボトル（dropper bottle）に関し、とりわけ１００ｍｌ以下の容量で正確で均一な小滴の薬剤を供給するための容器装置に関する。
【０００２】
小滴容器装置は、通常、スクイズボトル（絞り出しボトル）のネック部に押圧嵌合させるか、あるいは挿入されるノズルを有していた。
【０００３】
動作に際しては、スクイズボトルを逆さにして、ユーザの手で強く握る（絞り出す）ことにより、ノズルから１滴または数滴の小滴を供給する。薬剤が完全に供給されてしまうと、通常、容器装置は廃棄される。
【０００４】
これまでの弾性を有するスクイズボトルにおいて、１００ｍｌ未満の容量、特に１０〜５０ｍｌの容量の１つまたはそれ以上の小滴を供給するとき、小滴毎に容量の実質的なばらつきが生じていた。
【０００５】
このばらつきは、ボトルを逆さにしたときにボトルの内部表面上に気泡が形成されることに起因するものであり、その結果、小滴とりわけ目薬小滴が不均一に投与されることになる。このように表面にとりついた気泡は、気泡形成を促進する領域を有する四角いショルダ部ボトルやノズルにおいて一般に見受けられるものである。
【０００６】
さらに、不正開封防止ボトル（tamper proof bottle）が人気を博している点に鑑み、こうした不正開封防止装置の実施を支援することが望まれている。
【０００７】
したがって、均一な薬剤小滴を供給できる改善された容器装置に対する要請がある。
【発明の開示】
【０００８】
本発明に係る容器装置は、一般に、開口端を含むネック部を有する特定容積の絞り出しボトルと、ボトル内に収容された薬剤を備える。
【０００９】
先端部は、開口端に対して可撓性を有し、先端部開口部に向かって増大する径を有するノズルを含む内部傾斜ノズルを有する。
【００１０】
ボトルのネック部に固定することにより、先端部開口部を着脱可能に封止するキャップが設けられる。
【００１１】
ネック部に隣接してボトル内に形成されたショルダ部が、気泡を含まない薬剤がノズルに流れることを助長し、かつキャップの不正開封防止を支援するために、ボトルの中心線に対して約４５°〜約５０°の間の角度で傾斜するように配設される。
【００１２】
より具体的には、本発明に係る容器装置は、ボトルを絞り出すことにより、先端部開口部で形成される薬剤小滴の均一性およびサイズを制御するための、先端部開口部を包囲する所定の正面幅の先端部正面を有する、この点において、正面幅は、約０．０１５インチ〜約０．０６０インチであり、特定容積は、約５ｍｌ〜１５ｍｌである。
【００１３】
好適には、本発明に係る容器装置は、約１０ｍｌ〜約５０ｍｌの小滴サイズを実現するものである。
【発明を実施するための最良の形態】
【００１４】
添付図面を参照しながら、以下の説明を読むことにより、本発明の利点および特徴が十分に理解される。
【００１５】
図１〜図３を参照すると、本発明に係るスクイズボトル１０が図示されており、これは開口端１６を含むネック部１４を有する。なお図４は、本発明に係るボトル１０のネック部１４の拡大図である。
【００１６】
ボトル１０は、例えば低密度ポリエチレンなどの適当な材料で形成することができる。以下より詳細に説明するが、ボトル１０は、小滴形態で眼（図示せず）の中に点眼するのに適した薬剤２０を収容するために、５ｍｌの特定の容積を有する。
【００１７】
図５〜図７は、本発明に係るボトル２４を示し、これは開口端２８を含むネック部２６を備え、１０ｍｌの特定容積を有し、図１〜図３に図示したボトルと同様のものである。
【００１８】
図８〜図１０は、本発明に係るボトル３２を示し、これは開口端３６を含むネック部３４を備え、１５ｍｌの特定容積を有する。
【００１９】
図１２〜図１４に図示されているように、本発明に係る先端部４０は、ボトルネック部の開口端１６に挿入できるような大きさを有するベース部４２を有し、先端部の開口部５０に向かうほどに大きくなる径を有する内部傾斜ノズル４６を有する。
【００２０】
再び図１、図３、図５、図７、図８および図１０を参照すると、ボトル１０，２４，３２は、ネック部１４，２６，３４に隣接するショルダ部５０，５２，５４を有する。このショルダ部は、中心線５８，６０，６２に対して約４５°〜約５０°の間の角度で、特定の実施例として４７°３０秒の角度で傾斜するように配設されている。
【００２１】
このショルダ部の角度により、気泡を含まない薬剤がノズル４６に流れることを助長する。
【００２２】
図１５〜図１８は、本発明に係る別のノズル６６を図示し、これは開口端１６，２８，３４に挿入できるような大きさを有するベース部６８を備え、先端部４０のノズル４６と同様の内部ノズル７０を有する。
【００２３】
先端部４６と先端部６８とを比較すると、開口端５０，８０をそれぞれ包囲する先端部正面７２，７４が異なる表面積あるいは正面幅を有することが見て取れる。
【００２４】
先端部４０の正面幅が約０．０１５インチであるのに対し、先端部６６の正面幅は約０．０６０インチである。２つの先端部４０，６６しか図示しないが、正面幅の異なる同様の先端部が、本発明の範疇に含まれ、１０μｌ以下から約５０μｌの小滴容量の薬剤小滴の投与を制御できる、例えばボトル１０，２４，３２で図示された５ｍｌ、１０ｍｌおよび１５ｍｌなどのさまざまなボトル容積と組み合わせて採用されることに留意すべきである。正面領域が大きいほど、より小滴サイズを投与することができる。
【００２５】
図１９〜図２２を参照すると、適当な材料で形成されたキャップが図示されており、これはネック部のねじ山８４（例えば図１および図３参照）に係合し、凸状表面８８を用いて先端部の開口端を封止するための内部ねじ山８２を有する。
【００２６】
不正開封防止シール９６とともに、組み立てられた容器装置９２が図２３に図示されている。重要なことに、ショルダ部５０が傾斜していることにより、シール９６の装着が容易となり、ボトル１０の上側表面１００のより大きい面積において、キャップ８０と共に封止しやすくなり、ひいてはより確実な不正開封防止シール９６を提供することができる。
【００２７】
本発明を用いて利益をもたらす形態を説明する目的で本発明に係る特定の容器装置についてこれまで説明してきたが、本発明にこれに限定されるものではないことに留意されたい。すなわち本発明は、引用した構成部品を好適に備えるか、これらの部品からなるか、あるいは本質的にこれらの部品からなる。またここに特に言及しなかった任意の部品を用いることなく、本発明を実施することができる。したがって、当業者が思いつくであろう任意のすべての変更例、変形例および均等物が添付クレームで定義された本発明の範疇に含まれるものと理解する必要がある。
【図面の簡単な説明】
【００２８】
【図１】図１は、本発明に係る５ｍｌボトルの側面図であって、開口端およびネック部に隣接してボトル内に形成されたショルダ部を示し、ショルダ部はボトルの中心線に対して約４５°〜約５０°の間の角度で傾斜するように配設されている。
【図２】図２は、図１に示すボトルの上面図である。
【図３】図３は、図２に示すボトルの３−３線から見た断面図である。
【図４】図４は、図１〜図３に示すボトルのネック部の拡大図である。
【図５】図５は、本発明に係る１０ｍｌボトルの側面図である。
【図６】図６は、図５に示すボトルの上面図である。
【図７】図７は、図６に示すボトルの７−７線から見た断面図である。
【図８】図８は、本発明に係る１５ｍｌボトルの側面図である。
【図９】図９は、図８に示すボトルの上面図である。
【図１０】図１０は、図９に示すボトルの１０−１０線から見た断面図である。
【図１１】図１１は、本発明に係るボトルのネック部に挿入される、本発明に係る先端部の側面図である。
【図１２】図１２は、図１１に示す先端部の上面図である。
【図１３】図１３は、図１１に示す先端部の底面図である。
【図１４】図１４は、図１３に示す先端部の１４−１４線から見た断面図であって、内部ノズルおよび先端部開口部を包囲する正面を図示している。
【図１５】図１５は、本発明に係る別の先端部の側面図である。
【図１６】図１６は、図１５に示す先端部の上面図である。
【図１７】図１７は、図１５に示す先端部の底面図である。
【図１８】図１８は、図１７の１８−１８線から見た断面図であって、内部ノズルおよび先端部開口部を包囲するより面積の広い正面を図示している。
【図１９】図１９は、本発明に係る先端部およびボトルを閉口するのに好適なキャップの側面図である。
【図２０】図２０は、図１９に示すキャップの上面図である。
【図２１】図２１は、図１９に示すキャップの底面図である。
【図２２】図２２は、図２１の２０−２０線から見たキャップの断面図である。
【図２３】図２３は、不正開封防止シールとともに組み立てられたボトルおよびキャップの側面図である。
【符号の説明】
【００２９】
１０，２４，３２：  スクイズボトル（絞り出しボトル）
１４，２６，３４：  ネック部
１６，２８，３６：  開口端
２０：  薬剤
４０，６６：  先端部
４２：  ベース部
４６：  内部傾斜ノズル
５０，８０：  開口端
７２，７４：  先端部正面
８４：  ネック部のねじ山
８８：  凸状表面
９６：  不正開封防止シール
【図１】
2008509852.tif 000003
【図２】
2008509852.tif 000004
【図３】
2008509852.tif 000005
【図４】
2008509852.tif 000006
【図５】
2008509852.tif 000007
【図６】
2008509852.tif 000008
【図７】
2008509852.tif 000009
【図８】
2008509852.tif 000010
【図９】
2008509852.tif 000011
【図１０】
2008509852.tif 000012
【図１１】
2008509852.tif 000013
【図１２】
2008509852.tif 000014
【図１３】
2008509852.tif 000015
【図１４】
2008509852.tif 000016
【図１５】
2008509852.tif 000017
【図１６】
2008509852.tif 000018
【図１７】
2008509852.tif 000019
【図１８】
2008509852.tif 000020
【図１９】
2008509852.tif 000021
【図２０】
2008509852.tif 000022
【図２１】
2008509852.tif 000023
【図２２】
2008509852.tif 000024
【図２３】
2008509852.tif 000025
【国際調査報告】
2008509852.tif 000026
2008509852.tif 000027